(57)【特許請求の範囲】
【請求項１】
収納箱内面に香料含有マイクロカプセルをバインダーによって担持させたティシュペーパー収納体を、シュリンクフィルムで被覆したのち、熱風を当てて前記シュリンクフィルムをティシュペーパー収納体に密着させるシュリンク包装を行い、そのシュリンク包装時のティシュペーパー収納体の加熱によって前記バインダーを溶融して、前記収納箱内面から香料含有マイクロカプセルを離脱させる、ことを特徴とする香り付きティシュペーパー製品の製造方法。
【請求項２】
バインダーが、５５〜８５℃の融点を有するものである請求項１記載の香り付きティシュペーパー製品の製造方法。
【請求項３】
バインダーが、ゼラチン、アガロース、寒天、カラギーナンである請求項１又は２記載の香り付きティシュペーパー製品の製造方法。
【請求項４】
ティシュペーパー収納体が、直六面体形状であり、上面内面にスリット付きフィルムが設けられ、少なくとも側面に香料含有マイクロカプセルをバインダーによって担持させられたものである、請求項１〜３の何れか１項に記載の香り付きティシュペーパー製品の製造方法。
【請求項５】
複数個のティシュペーパー収納体を上面と底面とを対面させて並べたうえ、シュリンク包装する請求項４記載の香り付きティシュペーパー製品の製造方法。
【請求項６】
スリット付きフィルム貼付前のカートンブランク基材に対して、香料含有マイクロカプセル及びバインダーを含む香料溶液を塗布し、その後にスリット付きフィルムを貼付してカートンブランクを形成し、このカートンブランクを用いてティシュペーパー収納体を製造する、請求項１〜５の何れか１項に記載の香り付きティシュペーパー製品の製造方法。
【請求項７】
スリット付きフィルムの接着部分には、香料溶液を塗布しない、請求項６記載の香り付きティシュペーパー製品の製造方法。
【請求項８】
ティシュペーパーが、保湿剤を含む保湿ティシュペーパーである請求項１〜７の何れか１項に記載の香り付きティシュペーパー製品の製造方法。
【発明の詳細な説明】
【技術分野】
【０００１】
本発明は、ティシュペーパー製品、特に香り付きのティシュペーパー製品の製造方法に関する。
【背景技術】
【０００２】
複数枚のティシュペーパーを折り畳み重ねた束を、カートンとも称される直六面体形状の収納箱に収納したティシュペーパー収納体は良く知られる。このティシュペーパー収納体は、一個又は三〜五個を積み重ねてフィルムによって包装されて製品とされている。
【０００３】
ところで、ティシュペーパー製品の中には香り付きのものがある。この香り付きティシュペーパー製品は、旧来、マイクロカプセルに香料を封入した香料含有マイクロカプセルをティシュペーパーに塗布して香り付きティシュペーパーとすることが行なわれていた。
【０００４】
しかし、この方法は、ティシュペーパーへ塗布する際における香料含有マイクロカプセルの歩留まりが悪く、また、香料を塗布するティシュペーパーから、香料を塗布しないティシュペーパーへ製造を切り替える際に機器洗浄などに手間がかかるなど、製造切り替えロスが大きいという問題があり、製造コストが非常に高いという問題があった。このため製品価格も高価であり、普及の妨げとなっていた。
【０００５】
近年、ティシュペーパー収納体における一般的な収納箱構造として有するスリット付きフィルムに香料を含有させ、スリット付きフィルムから揮散した香料を、収納箱内のティシュペーパーに移り香のメカニズムで香気を付与するようにした香り付きのティシュペーパー製品も市販されるようになってきている。この香り付きティシュペーパーは、香料含有マイクロカプセルをティシュペーパーに直接に付与するよりも、低コストで製造することができる。
【０００６】
しかし、この香り付きティシュペーパーは、スリット付きフィルムから揮散した香料が、ティシュペーパーの繊維間や繊維表面に入り込んで移り香のメカニズムで香気が付与されるものであるため、繊維間や繊維表面に空間が多いティシュペーパーでは香りが十分に移るが、繊維間や繊維表面に空間が少ないティシュペーパーでは、香りが移り難いといった問題がある。例えば、ティシュペーパーの中には、ティシュペーパーに保湿剤を付与した保湿ティシュペーパーがあるが、この保湿ティシュペーパーでは、繊維表面や繊維間に保湿剤が存在しているため香料が入り込む空間が少なく、上記メカニズムでティシュペーパーに香気を付与することが難しい。このため、保湿ティシュペーパーに香りを付与する場合は、ティシュペーパー自体に香料含有マイクロカプセルを保湿剤ともに付与する旧来方法が採られている。
【先行技術文献】
【特許文献】
【０００７】
【特許文献１】特開２０１０-５２８１５号公報
【特許文献２】特開２０１２-１９６３８２号公報
【発明の概要】
【発明が解決しようとする課題】
【０００８】
そこで、本発明の主たる課題は、香り付きではないティシュペーパー製品と香り付きティシュペーパー製品との製造切り替えロスが少なく、また、香料含有マイクロカプセルの低歩留まりの問題が改善され、しかも、保湿ティシュペーパーに対しても十分に香気を付与することができる、上記香料含有マイクロカプセルを直接ティシュペーパーに付与する方法や、スリット付きフィルムに香料を含有させた香り付きティシュペーパー製品が有する問題を解決した、香り付きティシュペーパー製品の製造方法を提供することにある。
【課題を解決するための手段】
【０００９】
上記課題を解決した本発明は以下のとおりである。
〔請求項１記載の発明〕
収納箱内面に香料含有マイクロカプセルをバインダーによって担持させたティシュペーパー収納体を、シュリンクフィルムで被覆したのち、熱風を当てて前記シュリンクフィルムをティシュペーパー収納体に密着させるシュリンク包装を行い、そのシュリンク包装時のティシュペーパー収納体の加熱によって前記バインダーを溶融して、前記収納箱内面から香料含有マイクロカプセルを離脱させる、ことを特徴とする香り付きティシュペーパー製品の製造方法。
【００１０】
〔請求項２記載の発明〕
バインダーが、５５〜８５℃の融点を有するものである請求項１記載の香り付きティシュペーパー製品の製造方法。
【００１１】
〔請求項３記載の発明〕
バインダーが、ゼラチン、アガロース、寒天、カラギーナンである請求項１又は２記載の香り付きティシュペーパー製品の製造方法。
【００１２】
〔請求項４記載の発明〕
ティシュペーパー収納体が、直六面体形状であり、上面内面にスリット付きフィルムが設けられ、少なくとも側面に香料含有マイクロカプセルをバインダーによって担持させられたものである、請求項１〜３の何れか１項に記載の香り付きティシュペーパー製品の製造方法。
【００１３】
〔請求項５記載の発明〕
複数個のティシュペーパー収納体を上面と底面とを対面させて並べたうえ、シュリンク包装する請求項４記載の香り付きティシュペーパー製品の製造方法。
【００１４】
〔請求項６記載の発明〕
スリット付きフィルム貼付前のカートンブランク基材に対して、香料含有マイクロカプセル及びバインダーを含む香料溶液を塗布し、その後にスリット付きフィルムを貼付してカートンブランクを形成し、このカートンブランクを用いてティシュペーパー収納体を製造する、請求項１〜５の何れか１項に記載の香り付きティシュペーパー製品の製造方法。
【００１５】
〔請求項７記載の発明〕
スリット付きフィルムの接着部分には、香料溶液を塗布しない、請求項６記載の香り付きティシュペーパー製品の製造方法。
【００１６】
〔請求項８記載の発明〕
ティシュペーパーが、保湿剤を含む保湿ティシュペーパーである請求項１〜７の何れか１項に記載の香り付きティシュペーパー製品の製造方法。
【００１７】
（作用効果）
本発明に係る香り付きティシュペーパー製品の製造方法は、香料含有マイクロカプセルが最終的にはティシュペーパーに付与されるものとなるため、スリット付きフィルムから揮散した香料を移り香のメカニズムでティシュペーパーに香気を付与するのと比較して、しっかりとした香気をティシュペーパーに付与することができる。また、保湿ティシュペーパーのように移り香のメカニズムでは香気を付与し難いティシュペーパー種であっても香気を確実に付与することができる。
【００１８】
また、本発明に係る香り付きティシュペーパー製品の製造方法では、ティシュペーパー製品の製造工程のうち、特にティシュペーパーを抄紙してから収納箱内に収めるまでの一連のティシュペーパーを取り扱う製造ラインに香料塗布工程を設ける必要がないため、香料を付与するティシュペーパーの製造と香料を付与しないティシュペーパーの製造との切り替えの必要がなく、切り替えに係る製造ロスが発生しない。もちろん、係る製造ラインに脱臭設備を設けたりする必要もない。
【００１９】
また、収納箱は、ティシュペーパー自体のように柔らかさが必要とされるわけではないので、収納箱内面にバインダーを用いて香料含有マイクロカプセルを担持させるにあたって、高粘度のバインダー中に香料含有マイクロカプセルを分散させた香料溶液を塗布して形成することができる。すなわち、ティシュペーパー自体に、香料含有マイクロカプセルを付与する場合と比較して、香料含有マイクロカプセルへの物理的刺激が少ない状態で塗布することが可能となるため、塗布時における香料含有マイクロカプセルの崩壊を低減させることができ、歩留まり高く製造することができる。
【００２０】
また、香料含有マイクロカプセルを担持させるのが収納箱内面であるため製品完成後に香料含有マイクロカプセルが収納箱から離脱しても、香料含有マイクロカプセルの損失にはならず、収納箱内に香料含有マイクロカプセルが留まりティシュペーパーへの香気付与が行なわれるため、香料含有マイクロカプセルの無駄が少ない。
【００２１】
さらに、シュリンク包装の手順自体は、従来と同様の手順で行なうことができ、新たなコストの発生が少ない。
【００２２】
さらに、香料含有マイクロカプセルを平板なカートンブランク基材に塗布して製造することができ、その際には、印刷等によって適切部位への塗工或いは不適切部位への不塗工を容易に選択することができる。したがって、例えば、スリット付きフィルムの接着のため、或いは収納箱の組立てのために接着させる部位を除いて、適当な部位に容易に香料含有マイクロカプセルを担持させることができ、ティシュペーパー収納体の強度不足や取り扱い性に影響を与えることなく、生産性よく製造することができる。
【発明の効果】
【００２３】
以上の本発明によれば、香り付きではないティシュペーパー製品と香り付きティシュペーパー製品との製造切り替えロスが少なく、また、香料含有マイクロカプセルの低歩留まりの問題が改善され、しかも、保湿ティシュペーパーに対しても十分に香気を付与することができる、従来の香料含有マイクロカプセルを直接ティシュペーパーに付与する方法や、スリット付きフィルムに香料を含有させた香り付きティシュペーパー製品が有する問題を解決した、香り付きティシュペーパー製品の製造方法が提供される。
【図面の簡単な説明】
【００２４】
【図１】本発明の実施形態に係るティシュペーパー製品の斜視図である。
【図２】本発明の実施形態に係るシュリンク包装装置及びシュリンク包装の態様を模式的に示した図である。
【図３】本発明の実施形態に係る香り付きティシュペーパー製品のシュリンク包装時のカートン断面を模式的に示した図である。
【図４】本発明の実施形態に係るティシュペーパー製品の構造を説明するための斜視図である。
【図５】本発明の実施形態に係る収納箱のカートンブランクの箱内面となる面を示す図である。
【図６】本発明の実施形態に係るカートンブランクの製造方法を説明するための図である。
【図７】本発明の実施形態に係る収納箱へのティシュペーパー束の収納を説明するための図である。
【図８】本発明の他の実施形態に係るティシュペーパー製品の斜視図である。
【発明を実施するための形態】
【００２５】
次いで、本発明の実施形態を図１〜８を参照しながら以下に説明する。
【００２６】
本実施形態に係る香り付きティシュペーパー製品Ｘ１の製造方法は、図１〜図３に示すように、収納箱内面に香料含有マイクロカプセル３１をバインダー３０によって担持させたティシュペーパー収納体１を、シュリンクフィルム２で被覆した後、熱風Ｗを当てティシュペーパー収納体１にシュリンクフィルム２を密着させるシュリンク包装を行ない、そのシュリンク包装時のティシュペーパー収納体１の加熱によってバインダー３０を溶融させて、収納箱内面から香料含有マイクロカプセル３１を離脱させて、収納箱内のティシュペーパー２０に香気を付与するというものである。
【００２７】
本実施形態に係るティシュペーパー収納体１は、図４に示すように、収納箱１０内にティシュペーパー２０を収納したものであり、図示の形態は、複数枚のティシュペーパー２０，２０…が、折り畳まれ積層された束２０ｔが、上面１１に開封用ミシン目線１２を有する直六面体形状の収納箱１０に収納され、開封用ミシン目線１２を切り裂いて形成される取出口１２ｘからティシュペーパー２０を取り出せるようにした、所謂ポップアップ式のティシュペーパー収納体となっている。この収納箱１の大きさは、概ね長手縁Ｌ１が１１０〜３２０ｍｍ、短手縁Ｌ２が７０〜２００ｍｍ、高さＬ３が４０〜１５０ｍｍ程度である。
【００２８】
収納箱１０の基材は、バージンパルプ、古紙パルプ等の各種のパルプを主原料とする既知の紙素材や紙加工素材が採用できる。好適な収納箱１０の基材は、坪量２５０〜５００ｇ／ｍ2のコートボール紙である。
【００２９】
図示の収納箱１０の組立て構造は、図４及び図５から理解されるように、底面１３と一方の長側面１４を糊代部１３Ａで糊付けして筒状とした後、上面１１、底面１３及びこれらを連接する長側面１４から延出する各フラップＦ，Ｆ…を箱内面側に折り返し、各フラップＦ，Ｆ…の当接部分をホットメルト接着剤等により接着して短側面１５を構成した構造となっている。なお、図５は、収納箱組立て前のカートンブランク４０を収納箱１の内面側となる面から見た図であるが、理解のため各部の符号は組立て後の部位の符号を伏している。
【００３０】
図からも理解されるとおり、本実施形態のティシュペーパー収納体１は、収納箱１０の取出口１２ｘに、スリット付きフィルム３５が配されている。このスリット付きフィルム３５は開封用ミシン目線１２により囲まれる範囲１２ａより大きく、例えば、矩形や楕円形であり、箱体上面の内面側において、特に開封用ミシン目線１２の切り剥がしに影響がないように、開封用ミシン目線１２に囲まれる範囲１２ａの外側で接着剤によって貼付されている。スリット付きフィルム３５におけるスリット３５ｓは、前記開封用ミシン目線１２により囲まれる範囲１２ａで長手方向に沿って位置されており、したがって、図４に示すとおり、開封用ミシン目線１２に沿ってその開封用ミシン目線１２で囲まれる範囲１２ａを切り剥がすことにより、収納箱上面１１に取出口１２ｘが形成されるとともに、前記スリット付きフィルム３５及びスリット３５ｓが取出口１２ｘを介して露出される。そして、このスリット３５ｓから一枚ずつティシュペーパー２０が引き出せるようになる。
【００３１】
本発明に係るティシュペーパー収納体１では、特に図３に示すように、特徴的に前記収納箱１０の内面に、香料含有マイクロカプセル３１がバインダー３０によって担持されているものとなっている。
【００３２】
香料含有マイクロカプセル３１は、マイクロカプセル内に香料を封入したものである。その外殻は、限定されない。メラミン樹脂、ウレタン樹脂、尿素樹脂が例示できる。なかでもメラミン樹脂は適度な崩壊性と香料透過性を有するため望ましい。マイクロカプセルの形成方法も、本発明では特に限定されない。インサイチュ法、界面重合法等の化学的方法から適宜選択すればよい。マイクロカプセルの膜厚も、特に限定されないが、概ね、０．１〜１．０μｍ、好ましくは０．１〜０．５μｍである。
【００３３】
また、本実施形態に係る香料含有マイクロカプセル３１の平均粒子径は、１０〜５０μｍであるのが望ましい。この範囲であれば、カプセル重量に対する香料比を大きくすることができ所望の香り付けを行なうことができる。但し、カプセル径が大きくなると製造時にカプセルが破壊されて歩留まりの低下するおそれがあるため、より好ましい香料含有マイクロカプセル３１の平均粒径は、１０〜２０μｍである。なお、ここでの平均粒子径は、メジアン径による。
【００３４】
本実施形態ではマイクロカプセルに封入する香料は、適宜の香料を用いることができる。例えば、レモン油、グレープフルーツ油、ローズマリー油、ペパーミント油、マンダリン油、ライム油、ユズ油、カモミール油、ラベンダー油、ローズ油、スペアミント油等の天然香料類；リナロール、シトロネロール、メントール、ゲラニオール等のアルコール類等の合成香料、２−メチルブタン酸エチル、β−ピネン、酢酸イソアミノル、２−メチルペンタン酸エチル、β-ミルセン、ヘキサン酸エチル、酢酸３−メチル−２−ブテン−１−オール、酢酸３−ヘキセン−１−オール、テトラヒドロ−４−メチル−２−（−２−メチルプロピル）２Ｈ−ピラン、イソシクロシトラール、２，４−ジメチル−７−オクテン−２−オール、３，７−ジメチル−１，６−オクタデン−３−オール、酢酸  ４−ｔｅｒｔ−ブチルシクロヘキシル、２−（１，１−ジメチルエチル）−シクロヘキサノール、酢酸１−フェニルエチル、ブタン酸１，１−ジメチル−２−フェニルエチル等の化学物質が挙げられる。これらは単独で用いても、複数を組み合わせて調合香料として用いてもよい。香料の選択は、所望の香調によって決定すればよい。
【００３５】
香料含有マイクロカプセル３１を収納箱内面に担持させるバインダー３０は、収納箱内面に香料含有マイクロカプセル３１を定着させることができ、シュリンク包装時におけるティシュペーパー収納体１の加熱によって香料含有マイクロカプセル３１を離脱させるものである。シュリンク包装時のティシュペーパー収納体１の加熱によって溶融して、香料含有マイクロカプセル３１を離脱させるものが挙げられる。本発明者らはシュリンク包装時にティシュペーパー収納体１の箱内表面温度が概ね５５〜８５℃になることを知見している。したがって、バインダー３０としては、５５〜８５℃の融点を有するものとするのが望ましい。シュリンク包装時の加熱によって香料含有マイクロカプセル３１をティシュペーパー２０に確実に移行させることができる。このような融点を有するバインダー３０として、特に望ましいものは、ゼラチン、アガロース、寒天、カラギーナンである。これらのバインダー３０は、収納箱１０の基材である紙素材とのなじみがよく、また、食品にも用いられる安全性の高いものであり、肌に直接触れる用途に多く用いられるティシュペーパー２０に適する。また、これらのバインダー３０は保湿性を有するため、特にティシュペーパー２０が、ポリオールを有効成分として、その吸湿性を利用して保湿効果を発揮させる保湿ティシュペーパーとの相性がよい。すなわち、係るバインダー３０であると、収納箱１０内が、湿度が高い状態に保持されやすく、もって収納箱内の保湿ティシュペーパーが乾燥し難い環境となる。なお、本発明に係る好適な保湿剤としてのポリオールは、グリセリン、ジグリセリン、プロピレングリコール、１，３−ブチレングリコール、ポリエチレングリコール、およびその誘導体等の多価アルコール、ソルビトール、グルコース、キシリトール、マルトース、マルチトール、マンニトール、トレハロース等の糖類が挙げられる。
【００３６】
ここで、本実施形態のティシュペーパー収納体１の製造方法は、図６に示すように、スリット付きフィルム３５を貼付する前のカートンブランク基材４０ｘに対して、香料含有マイクロカプセル３１及びバインダー３０を含む香料溶液を塗布装置５５にて塗布し、その後にスリット付きフィルム３５を貼付してカートンブランク４０を形成し、このカートンブランク４０を用いてティシュペーパー収納体１を製造するようにするのが望ましい。より具体的には、スリット付きフィルム３５未貼付のカートンブランク基材４０ｘの収納箱内面となる面の適宜の部位に対して、塗布装置５５にて香料含有マイクロカプセル３１及びバインダー３０を含む香料溶液を予め塗布しておく。そして、この塗布の後または同時にスリット付フィルム３５を接着するための糊も所定位置に付与して、スリット付きフィルム３５を貼付する工程へと送り込む。
【００３７】
その一方で、後にスリット付きフィルム３５となるフィルムシートが巻かれた原反ロール３５ｘから、順次当該フィルムシート３５ｃを繰り出し、スリットカッター５２でスリットを形成し、ロール周面に幅方向に沿ってカッター刃５０Ａを設けた回転式カッター５０によって適切な長さにカットするとともに、回転式カッター５０に対面するバキューム機能を有するロール５１に移行して搬送する。
【００３８】
そして、順次送られてくる予め所定位置に接着糊が付与されたスリット付きフィルム３５未貼付のカートンブランク４０ｘの当該所定位置にスリット付きフィルム３５を重ねて両者を貼り合せて、スリット付きフィルム３５が貼られたカートンブランク４０を製造する。そして、このカートンブランク４０を箱形に組立てティシュペーパー束２０ｔを挿入してフラップＦ，Ｆ…を封止することで製造する。この方法であれば、香り付きティシュペーパー製品Ｘ１の生産性を落とすことはない。なお、図示の形態では、香料溶液を塗布装置５５で塗布後にカートンブランク基材４０ｘを連続してスリット付きフィルム３５の貼付工程に移行させているが、カートンブランク４０ｘへの香料溶液の塗布はスリット付きフィルム３５とは連続していない別のマシンで塗布してもよい。また、塗布装置５５の後に乾燥工程を設けてもよい。
【００３９】
カートンブランク基材４０ｘに対して香料溶液を塗布する方法は限定されないが、ブレードコーター、ロッドコーター、フレキソコーター、グラビアコーターのような印刷機で行なうのが生産性に優れるため望ましい。塗布量としては、１〜３０ｇ／ｍ2、望ましくは５〜２０ｇ／ｍ2、更に望ましくは８〜１５ｇ／ｍ2とすると、香料含有マイクロカプセル３１のティシュペーパー２０への移り易さと、ティシュペーパー束２０ｔの収納箱１０ｘへの押し込み易さのため望ましい。
【００４０】
ここで、カートンブランク基材４０ｘに香料溶液を塗布するにあたっては、後のシュリンク包装を行なう際にバインダー３０の溶融などに起因してスリット付きフィルム３５が剥離してしまわないように、このスリット付きフィルム３５を接着するための接着糊付与部分には、香料溶液を塗布しないようにするのが望ましい。さらに、図示の形態のように収納箱１０の短側面１５のフラップＦを貼り合せた構造とする場合には、シュリンク包装を行なう際にバインダー３０の溶融などに起因して、フラップＦ同士の接着性が低下するおそれがあるため、フラップＦ同士を接着する部分にも香料溶液を塗布しないようにすることが望ましい。
【００４１】
香料溶液の具体的な性状については、限定されない。適宜の粘度のカプセルスラリーとして塗布することができる。
【００４２】
他方、上記カートンブランク４０を用いてティシュペーパー収納体を製造する方法は、公知の方法を採用することができる。例えば、図７に示すように、カートンブランク４０を長手方向一方のフラップのみ閉じずに開口させた状態に組立てて、その開放短手面４０Ｋと、ティシュペーパー束２０ｔの端面とを付き合わせにしたうえで、ティシュペーパー束２０ｔの開放短手面４０Ｋと向かい合っていない端面２０ｓをプッシュロッド６０によって押して、収納箱内へティシュペーパー束２０ｔを押し込み、その後に開放短手面４０Ｋを封止して製造することができる。好ましくは、ティシュペーパー束２０ｔと、一方短手面開放の収納箱１０ｘとをコンベア等で並走させた状態で行なうと生産性が高く望ましい。
【００４３】
他方、収納箱１０に収納されるティシュペーパー２０は、特に限定されないが、上述のとおり特に本発明によれば、旧来香料含有マイクロカプセルを直接的に塗布して香りを付与してきた保湿ティシュペーパーにおける問題が解決される。したがって、特に収納箱１０に収納されるティシュペーパー２０が保湿ティシュペーパーであると特に効果的である。
【００４４】
ティシュペーパー２０の束２０ｔの構造は、所謂ポップアップ式のものであり、このティシュペーパー束２０ｔは、マルチスタンド式、ロータリー式の既知のインターフォルダにより製造することができる。積層枚数は、１２０〜２４０組とするのが望ましい。
【００４５】
他方、本実施形態に係るシュリンク包装は、ティシュペーパー収納体１における既知のシュリンク包装の手順が採用できる。本実施形態では、図２に示すように、ティシュペーパー収納体１をシュリンクフィルム２で被覆した後、シュリンクトンネル或いはヒータートンネルとも称されるシュリンク包装装置７０に通し、その際に熱風Ｗを当ててシュリンクフィルム２を収縮させて、シュリンクフィルム２をティシュペーパー収納体１の収納箱外面に密着させるようにして包装する。
【００４６】
また、シュリンクフィルム２としては、ティシュペーパー製品の包装に用いられる公知のポリエチレンフィルムから適宜選択することができる。具体例としては、熱収縮性を有するポリエチレンフィルム、ポリ塩化ビニルフィルム、ポリプロピレンフィルム、ポリスチレンフィルムが採用できる。
【００４７】
シュリンク包装を行なう際の熱風Ｗの温度としては、１８０〜２５０℃が望ましく、熱風を当てる時間は５〜２０秒とするのが望ましい。外気温、シュリンクフィルムの種類、マイクロカプセルの外殻の溶融温度、ティシュペーパー収納体１の大きさ等を考慮して、この範囲から適宜に選択すれば、収納箱内のティシュペーパーを変性させることなく確実にシュリンク包装を行なうことができるとともに、本発明の作用効果を発揮させることができる。なお、本発明者らは、一般的な大きさのティシュペーパー収納体の場合、温度１８０℃、６秒間の条件でシュリンク包装を行なった場合に、収納箱外面温度が７５℃、収納箱内面温度が６０℃程度となり、温度２５０℃、２０秒の条件でシュリンク包装を行なった場合に、収納箱内面温度は１００℃程度まで上昇することを知見している。したがって、係る条件の範囲において、特に収納箱内面の温度との関係で、当該温度で溶融するバインダーと、当該温度で溶融及び崩壊しない香料含有マイクロカプセルを選択すればよい。なお、香料含有マイクロカプセルの外殻として上記例示のメラミン樹脂及び尿素樹脂は概ね１５０℃程度である。
【００４８】
他方、ティシュペーパー収納体をシュリンク包装するにあたっては、図１に示すようにティシュペーパー収納体を一個のみ個包装することとしてもよいが、図２や図８に示すように、複数個のティシュペーパー収納体を上面と底面とを対面させて並べたうえ、シュリンク包装して製品としてもよい。この場合には、一部のティシュペーパー収納体の上面と底面とが外方に露出しないため、当該面においてはシュリンク包装時の熱風が当たらなくなる。したがって、ティシュペーパー収納体１における香料含有マイクロカプセル３１の担持位置としては、図８のようにティシュペーパー収納体１を並べて配置した際に全てのティシュペーパー収納体１で外方に露出する部分となる長手側面１４の内面に位置させるのがよい。
【００４９】
本実施形態に係る製造方法においては、シュリンク包装時に収納箱内面のバインダー３０から離脱しない香料含有マイクロカプセル３１が存在してもよい。このような収納箱内面のバインダー３０内に残存する香料含有マイクロカプセル３１も、シュリンク包装による加熱前と比較すると離脱しやすい状態となるため、ティシュペーパー製品完成後の輸送時等の動的な刺激によって、香料含有マイクロカプセル３１の離脱とティシュペーパー２０への付与が生ずる。本発明により製造されたティシュペーパー製品では、そのようなシュリンク包装時のみならず、その後に香料含有マイクロカプセル３１が収納箱内面のから離脱しても、ティシュペーパー２０への香料含有マイクロカプセル３１の移行効果が発揮される点でも優れている。また、離脱しなかった香料含有マイクロカプセル３１も収納箱内でティシュペーパー２０，２０…がポップアップする際の物理刺激によりマイクロカプセルに崩壊及び亀裂が入ることで香料が徐々に揮散してティシュペーパー収納体１内に香気を拡散する補助効果を奏する。この補助効果は、特にメラミン樹脂を外殻とする香料含有マイクロカプセルの場合に香料が外殻を通して揮散しやすいため、効果的に発揮される。
【符号の説明】
【００５０】
Ｘ１…香り付きティシュペーパー製品、１…ティシュペーパー収納体、２…シュリンクフィルム、３０…バインダー、３１…香料含有マイクロカプセル、２０…ティシュペーパー、２０ｔ…ティシュペーパー束、１０…収納箱、１１…収納箱上面、１２…開封用ミシン目線、１２ａ…開封用ミシン目線で囲まれる範囲、１２ｘ…取出口、１３…収納箱底面、１３Ａ…糊代部、１４…収納箱長側面、１５…収納箱短側面、Ｆ…フラップ、３５…スリット付きフィルム、３５ｓ…スリット、３５ｘ…原反ロール、５５…塗布装置、４０ｘ…カートンブランク基材、４０…カートンブランク、３５ｃ…フィルムシート、５２…スリットカッター、５０Ａ…カッター刃、５０…回転式カッター、５１…バキューム機能を有するロール、４０Ｋ…開放短手面、２０ｓ…ティシュペーパー束の端面、６０…プッシュロッド、１０ｘ…一方短手面開放の収納箱、Ｗ…熱風、７０…シュリンク包装装置。
【図１】
0005848385.tif 000002
【図２】
0005848385.tif 000003
【図３】
0005848385.tif 000004
【図４】
0005848385.tif 000005
【図５】
0005848385.tif 000006
【図６】
0005848385.tif 000007
【図７】
0005848385.tif 000008
【図８】
0005848385.tif 000009